(57)【要約】【課題】バックライト用光源として線状光源を備える液晶モジュールにおいて、線状光源において生じる浮遊容量に基づく漏れ電流を低コストで低減可能な液晶モジュールを提供する。【解決手段】液晶モジュール５０は、金属性のリアフレーム１と、冷陰極蛍光ランプから成る複数の線状光源３ａと、を備える。複数の線状光源３ａのそれぞれには、線状光源３ａの液晶パネル（図示せず）を照らすための光を出射する部分の全域に亘って、その直下に帯状に延びた板状の絶縁物２１が貼り付けられている。この板状の絶縁物２１は、線状光源３ａから出射される光を反射可能に設けられる。【選択図】図１
2008292624.tif 000002
【特許請求の範囲】
【請求項１】
液晶パネルと、
前記液晶パネルの背面側に配置される複数の線状光源と、
前記線状光源を基準に前記液晶パネルが配置される側と反対側に配置され、前記線状光源から出射される光を反射する反射シートと、
前記反射シートを基準に前記線状光源が配置される側と反対側に配置され、前記反射シートが載置される金属フレームと、
を備える液晶モジュールにおいて、
前記線状光源と前記金属フレームとの間に、前記線状光源の前記液晶パネルを照らすための光を出射する部分において生じる漏れ電流を低減する絶縁物を、前記反射シートとは別に配置したことを特徴とする液晶モジュール。
【請求項２】
前記絶縁物は、前記線状光源から出射される光を反射可能に設けられて、前記複数の線状光源のそれぞれに貼り付けられることを特徴とする請求項１に記載の液晶モジュール。
【請求項３】
前記絶縁物は、前記線状光源の長手方向に沿って、平面視帯状に設けられることを特徴とする請求項２に記載の液晶モジュール。
【請求項４】
前記絶縁物は湾曲して前記線状光源の一部を取り囲むように設けられることを特徴とする請求項３に記載の液晶モジュール。
【請求項５】
前記絶縁物は、前記線状光源の前記液晶パネルを照らすための光を出射する部分の全域に亘って設けられることを特徴とする請求項２から４のいずれかに記載の液晶モジュール。
【発明の詳細な説明】
【技術分野】
【０００１】
本発明は、例えばテレビジョン受像装置やマイクロコンピュータ等の電子機器の表示装置として用いられる液晶モジュールに関し、より詳細には、液晶モジュールに備えられるバックライト用の線状光源において発生する、浮遊容量に基づく漏れ電流を低減する構成に関する。
【背景技術】
【０００２】
従来、テレビジョン受像装置やマイクロコンピュータ等の電子機器の表示装置として液晶モジュールが用いられている。図５は、従来の液晶モジュールの構成を示す分解斜視図である。図５を参照しながら従来の液晶モジュール１００の構成について説明する。従来の液晶モジュール１００は、リアフレーム１と、反射シート２と、バックライト用光源３と、拡散板４と、光学シート５と、液晶パネル６と、を備える。
【０００３】
リアフレーム１は金属によって形成されており、反射シート２とバックライト用光源３とを収容可能な構造とされている。反射シート２は、絶縁性の白色の合成樹脂板から形成され、リアフレーム１に載置されている。この反射シート２は、バックライト用光源３から出射される光を反射するために備えられている。
【０００４】
バックライト用光源３は、複数の線状光源３ａが集まって形成されており、図５に示す従来の液晶モジュール１００においては、線状光源３ａの数は１６個となっている。この線状光源３ａは、具体的には冷陰極蛍光ランプ（ＣＣＦＬ：Cold Cathode Fluorescent Lamp）から成るが、液晶モジュール１００においては、線状光源３ａが２本一組となって１つのＣＣＦＬ３ｂを構成する。すなわち、２本の線状光源３ａの一端部同士が結線されて、Ｕ字形状の１つのＣＣＦＬ３ｂを構成する。
【０００５】
このＵ字形状のＣＣＦＬ３ｂは、一方の端部側をシリコンゴムのような弾性部材から成るランプホルダ７によって支持される。また、他方の端部側は、ランプソケット８に差し込まれて、このランプソケット８を介して、ＣＣＦＬ３ｂは図示しないインバータ回路に接続される。このようなＵ字形状のＣＣＦＬ３ｂの駆動は、ＣＣＦＬ３ｂの両端に交流電圧を互いに逆相となるように印加することによって行われる。
【０００６】
なお、バックライト用光源３を構成する線状光源３ａのそれぞれは、図示しない光源支持部材によって支持されている。そして、これによって線状光源３ａがその自重によって撓まないようになっている。すなわち、線状光源３ａとリアフレーム１との距離は、いずれの位置においても略一定となるように構成されている。
【０００７】
拡散板４は、バックライト用光源３から出射されて直接入射した光、及びバックライト用光源３を出射された後に反射シート２によって反射された後入射した光を拡散させる機能を有する。また、光学シート５には、光を拡散させる拡散シートが含まれ、ここでも入射した光の拡散が行われ、輝度ムラの補正等が行われる。なお、拡散板４及び光学シート５はセルガイド９によってリアフレーム１に押さえつけられた状態となっている。
【０００８】
光学シート５の上側には液晶パネル６が配置される。液晶パネル６は、一対の偏光フィルタと、この偏光フィルタの間に設けられる一対のガラス基板と、このガラス基板の間に設けられる液晶、透明電極、カラーフィルタ等と、を備えた公知の構造を有している。この液晶パネル６は、セルガイド９によってその位置を規制され、ベゼル１０によって固定された状態となっている。
【０００９】
このように構成される液晶モジュール１００において、近年の液晶モジュールの大型化により、バックライト用光源３を構成するＣＣＦＬ３ｂの長さが長くなる傾向にある。また、液晶モジュール１００を構成するリアフレーム１は、コスト面等を考慮して金属で形成されるのが一般的である。このために、以下に示すような問題が発生する。
【００１０】
図６は、従来の液晶モジュール１００における問題点を説明するための模式図である。図６に示すように、従来の液晶モジュール１００では、リアフレーム１が金属で形成されるために、ＣＣＦＬ３ｂを構成する線状光源３ａのランプ管とリアフレーム１との間に浮遊容量が生じる。この場合、ＣＣＦＬを流れるランプ電流（管電流）に漏れが生じ、漏れ電流が生じる。そして、近年の液晶モジュールの大型化傾向のために、線状光源３ａの長さが長くなる傾向にあることから、線状光源３ａの高圧側と低圧側で有効管電流の差が大きくなるという現象が生じる。すなわち、液晶モジュールの大型化に伴い線状光源３ａの長さが長くなると、線状光源３ａは、高圧側で輝度が高くなり、低圧側で輝度が低くなるといった輝度傾斜が発生して問題となる。
【００１１】
ところで、浮遊容量に基づく漏れ電流の問題は、液晶モジュールの分野において従来から言われており、例えば特許文献１や特許文献２に示されているものがある。特許文献１においては、バックライト装置の画面サイズの大型化に伴う円筒状光源の軸長化に伴い、高電圧側電極と低電圧側電極間で生じる浮遊容量に基づく漏洩（リーク）電流の増加による輝度ムラの問題を指摘し、この輝度ムラを減少させる技術が紹介されている。具体的には、バックライト装置の少なくとも高圧電圧供給側近傍に、浮遊容量を生じない様な透孔を筐体の底部（図５のリアフレーム１の底部１ａが相当する）に設ける構成が示されている。そして、これによれば、円筒状光源の管壁と筐体の底部間の分布浮遊容量の均一化或いは減少化を図れ、リーク電流を減少させて輝度ムラを減少できるとしている。
【００１２】
また、特許文献２には、蛍光管を流れる電流が浮遊容量を通って金属筐体へ流れる漏れ電流によって生じる蛍光管の輝度不均一と、それに起因した照明装置の輝度不均一との低減を図る技術が紹介されている。この特許文献２は、蛍光管や金属筐体自体のたわみによる浮遊容量の変動を抑制するもので、意図的に蛍光管を蛍光管ホルダーによって金属筐体の底部と反対側に反らせることにより、蛍光管や金属筐体がたわんでいても、蛍光管と金属筐体の距離を一定以上に確保する構成としている。そして、これによって浮遊容量が小さくなり漏れ電流を小さくすることができるので、浮遊容量による輝度不均一を低減することができるとしている。
【特許文献１】特開２００４−２２０９８０号公報
【特許文献２】特開２００６−１７２９６５号公報
【発明の開示】
【発明が解決しようとする課題】
【００１３】
しかしながら、特許文献１の構成によって漏れ電流（リーク電流）を減少させようとすると、リアフレーム１に多数の透孔を穿つ必要があるために、リアフレーム１の強度が低下してしまい、液晶モジュールの強度低下といった問題が起こる場合がある。
【００１４】
また、特許文献２を参考に、線状光源３ａとリアフレーム１との間隔を一定の距離以上離して、漏れ電流によって発生する輝度傾斜を低減することも考えられるが、このような方法の場合、線状光源３ａとリアフレーム１との間の距離増加により、液晶モジュールの厚みが増し、液晶モジュールの薄型化が望まれる傾向に反し、望ましくない。
【００１５】
特許文献１や２と異なる方法で漏れ電流の影響を低減する構成として、バックライト用光源３とリアフレーム１との間に設けられる反射シート２の厚みを、従来の構成に比べて厚くする（反射シート２の枚数を増やすような場合も含む）ことも考えられる。反射シート２は絶縁物で構成されるために、このような構成とすることで漏れ電流を低減することも可能である。そして、このような構成の場合には、液晶モジュールの強度低下及び厚みの増加を避けて、浮遊容量に基づく漏れ電流を低減することも可能である。しかし、反射シート２はそのコストが必ずしも安くないために、単に反射シート２の厚みを増す構成は望ましい構成とは言えない。
【００１６】
以上の点を鑑みて、本発明の目的は、バックライト用光源として線状光源を備える液晶モジュールにおいて、線状光源において生じる浮遊容量に基づく漏れ電流を低コストで低減可能な液晶モジュールを提供することである。
【課題を解決するための手段】
【００１７】
上記目的を達成するために本発明は、液晶パネルと、前記液晶パネルの背面側に配置される複数の線状光源と、前記線状光源を基準に前記液晶パネルが配置される側と反対側に配置され、前記線状光源から出射される光を反射する反射シートと、 前記反射シートを基準に前記線状光源が配置される側と反対側に配置され、前記反射シートが載置される金属フレームと、を備える液晶モジュールにおいて、前記線状光源と前記金属フレームとの間に、前記線状光源の前記液晶パネルを照らすための光を出射する部分において生じる漏れ電流を低減する絶縁物を、前記反射シートとは別に配置したことを特徴としている。
【００１８】
この構成によれば、線状光源と金属フレームとの間に配置される絶縁物によって、線状光源と金属フレームとの間に配置される絶縁物の量を従来に比べて増大することになる。そして、この構成の場合、液晶モジュールに従来設けられる反射シートの厚みを単に増大して漏れ電流を低減させる場合に比べて、低コストで漏れ電流の低減を図ることが可能となる。
【００１９】
また、本発明は、上記構成の液晶モジュールにおいて、前記絶縁物は、前記線状光源から出射される光を反射可能に設けられて、前記複数の線状光源のそれぞれに貼り付けられるのが好ましい。この構成によれば、漏れ電流を低減するために使用する絶縁物を反射シートと同じ材料とする場合でも、単に反射シートの厚みを増す場合に比べて、材料の使用量を少なくして漏れ電流の低減を図れる。すなわち、線状光源において生じる漏れ電流を低コストで低減することが可能となる。また、この構成の場合、線状光源から出射される光の反射光率を高めることも可能となる。
【００２０】
また、本発明は、上記構成の液晶モジュールにおいて、前記絶縁物は、前記線状光源の長手方向に沿って、平面視帯状に設けられることとしても良い。この構成によれば、低コストで漏れ電流の低減を図れる液晶モジュールを容易に実現できる。
【００２１】
また、本発明は、上記構成の液晶モジュールにおいて、前記絶縁物は湾曲して前記線状光源の一部を取り囲むように設けられることとしても構わない。この構成によれば、低コストで漏れ電流の低減を図れる液晶モジュールを容易に実現できるとともに、漏れ電流の低減を図るために配置された絶縁物によって、線状光源から出射される光の反射光率を増すことができる。従って、線状光源に絶縁物を貼り付けることによって、漏れ電流の低減に加えて線状光源から出射される光の利用効率を高めることも可能となる。
【００２２】
また、本発明は、上記構成の液晶モジュールにおいて、前記絶縁物は、前記線状光源の前記液晶パネルを照らすための光を出射する部分の全域に亘って設けられるのが好ましい。この構成によれば、線状光源の液晶パネルを照らすための光を出射する部分における漏れ電流をより効果的に低減することが可能である。
【発明の効果】
【００２３】
本発明の液晶モジュールによれば、バックライト用光源として備えられる線状光源において生じる浮遊容量に基づく漏れ電流を低コストで低減可能である。このために、輝度ムラを低減できる液晶モジュールを提供し易い。
【発明を実施するための最良の形態】
【００２４】
以下に本発明の液晶モジュールの実施形態について図面を参照しながら説明する。なお、ここで示す実施形態は一例であり、本発明はここに示す実施形態に限定されるものではない。
【００２５】
（第１実施形態）
図１は、第１実施形態の液晶モジュールの一部を示す概略平面図で、具体的には、液晶モジュールが備えるリアフレームを、反射シート及び線状光源が収容される側から見た平面図である。また、図２は、図１のＡ−Ａ位置における概略断面図である。なお、図２においては、説明の便宜上、拡散板、光学シート、液晶パネルについても、破線で示している。以下、図１及び図２を参照しながら、第１実施形態の液晶モジュール５０について説明する。
【００２６】
なお、第１実施形態の液晶モジュール５０の説明を行うにあたって、図５に示す従来の液晶モジュール１００と重複する部分については、図５と同一の符号を付して説明する。
【００２７】
第１実施形態の液晶モジュール５０は、リアフレーム１と、反射シート２と、複数の線状光源３ａ（バックライト用光源）と、拡散板４と、光学シート５と、液晶パネル６と、を備える。これら各部の構成と機能は、前述した従来の液晶モジュール１００と同様であるために、その説明は省略する。
【００２８】
第１実施形態においても、リアフレーム１は金属によって形成される。また、線状光源３ａは、冷陰極蛍光ランプ（ＣＣＦＬ）で構成されている。このために、前述した浮遊容量に基づく漏れ電流よって輝度傾斜が起こり得る。しかし、第１実施形態の液晶モジュール５０においては、漏れ電流の低減が図られており、輝度傾斜の発生が低減されている。以下、この漏れ電流を低減する構成について説明する。
【００２９】
なお、第１実施形態の液晶モジュール５０においても従来の液晶モジュール１００と同様に、２本の線状光源３ａが一組となって、１つのＵ字形状のＣＣＦＬを構成することとしている。しかし、この構成に限定される趣旨ではない。すなわち、液晶モジュール５０に備えられる線状光源３ａを、直管型のＣＣＦＬとしても構わない。直管型のＣＣＦＬにおいても、浮遊容量に基づく漏れ電流が生じて輝度傾斜を生じるために、漏れ電流を低減する必要がある。そして、以下に述べる漏れ電流を低減する構成は、Ｕ字形状のＣＣＦＬに限らず、直管型のＣＣＦＬにも有効である。
【００３０】
第１実施形態の液晶モジュール５０が備える複数（具体的には１６個）の線状光源３ａは、いずれもその長手方向（図１のおいては左右方向、図２おいては紙面方向が該当）の全域に亘って、その直下に帯状に延びた板状の絶縁物２１が貼り付けられている。ここで、線状光源３ａの長手方向の全域とは、線状光源３ａの液晶パネル６を照らすための光を出射する部分の全域が該当する。
【００３１】
なお、本実施形態では、線状光源３ａは、一端は絶縁物から成るランプホルダ７（図５参照）に、他端は絶縁物を用いて形成されるランプソケット８（図５参照）に保持され、その上に保護カバーとしての絶縁性のランプフレーム１１が配置される。このために、本実施形態では、この部分は、線状光源３ａの液晶パネル６を照らすための光を出射する部分には該当しない。なお、この部分は、既に絶縁物に覆われているために、板状の絶縁物２１を配置しなくても、漏れ電流の低減が図られている。
【００３２】
板状の絶縁物２１は、線状光源３ａの直下に配置される構成であるために、光を反射する機能を有しない場合には、線状光源３ａから出射される光の利用効率を低下させ、液晶モジュール５０の輝度を低下させてしまう。このために、板状の絶縁物２１は、その全面が光を反射する機能を有するように設けられている。従って、板状の絶縁物２１は、例えばリアフレーム１に載置される反射シート２と同じ材質のもので形成される。
【００３３】
また、板状の絶縁物２１は、図１に示すように、平面視した場合、その短手方向の幅Ｗ１は、線状光源３ａの短手方向の幅Ｗ２（線状光源３ａのランプ管の直径が相当する）よりも広く形成され、例えば、板状の絶縁物２１の幅Ｗ１は、線状光源３ａの幅Ｗ２の１．５〜２倍程度の長さとされている。そして、線状光源３ａが板状の絶縁物２１の短手方向の略中心部分に位置するように、板状の絶縁物２１は線状光源３ａに貼り付けられている。
【００３４】
なお、線状光源３ａと板状の絶縁物２１との貼り付けは、例えば接着剤や両面テープ等で行うことができる。本実施形態の線状光源３ａはＣＣＦＬから成り、このようなもので板状の絶縁物２１を線状光源３ａに貼り付けても、接合部材が劣化する可能性を低くできる。
【００３５】
以上のように、本実施形態の液晶モジュール５０によれば、線状光源３ａの浮遊容量に基づく漏れ電流を低減できるために、液晶モジュール５０における輝度ムラを低減できる。そして、線状光源３ａに貼り付けられる絶縁物２１は反射機能を有するために、線状光源３ａから出射される光の利用効率を低減させないようにできる。また、各線状光源３ａの直下に、帯状に板状の絶縁物２１を設ける構成であるために、板状の絶縁物２１を反射シート２と同一の材料で形成する場合でも、単に反射シート２の厚みを増大して漏れ電流を低減する場合に比べて、反射シートの使用量を少なくして所望の漏れ電流の低減を図ることが可能であり、漏れ電流の対策におけるコストアップをできる限り抑制できる。
【００３６】
なお、板状の絶縁物２１の幅Ｗ１は、本実施形態の構成に限定されず、漏れ電流を低減させて所望の輝度ムラの低減が図れるように、更には、板状の絶縁物２１の幅Ｗ１を広くすることにより、必要以上に絶縁物２１に要するコストが上昇しないように、適宜決定すれば良い。また、板状の絶縁物２１の形状は帯状に限らず、他の形態としても構わない。
【００３７】
また、以上に示した第１実施形態においては、線状光源３ａの液晶パネル６を照らすための光を出射する部分の全域に亘って板状の絶縁物２１を配置する構成としたが、必ずしもこれに限定される趣旨ではない。例えば、線状光源３ａの液晶パネル６を照らすための光を出射する部分の一部にのみ板状の絶縁物２１を配置すれば、液晶モジュールに発生する輝度ムラが許容できる範囲となるような場合には、その一部にのみ、板状の絶縁物２１を配置する構成としても構わない。ただし、本実施形態のように、線状光源３ａの液晶パネル６を照らすための光を出射する部分の全域に亘って板状の絶縁物２１を配置する構成とした方が、漏れ電流をより効果的に低減できるので望ましい。
【００３８】
（第２実施形態）
次に、第２実施形態の液晶モジュールについて、図３を参照しながら説明する。図３は、第２実施形態の液晶モジュール６０の構成を説明するための説明図であり、図３（ａ）は、第２実施形態の液晶モジュール６０の構成を示す概略断面図、図３（ｂ）は、第２実施形態の液晶モジュール６０が備える複数の線状光源３ａの構成を示す概略平面図である。なお、図３（ｂ）においては、複数の線状光源３ａの全てを示さず、一部のみを示している。
【００３９】
第２実施形態の液晶モジュール６０は、第１実施形態の液晶モジュール５０と比較して、線状光源３ａに貼り付けられる絶縁物の構成が異なる点を除いては同一の構成であるために、その異なる点についてのみ説明する。第２実施形態においても、液晶モジュール６０が備える線状光源３ａのそれぞれには、その長手方向の全域（この定義は、第１実施形態の場合と同様である）に亘って、反射機能を有する絶縁物２２（例えば、反射シート２と同一の材料から成るもの）が設けられている。
【００４０】
この絶縁物２２は、平面視した場合には、第１実施形態の場合と同様に線状光源３ａの長手方向に帯状に延びた状態となっている。ただし、この絶縁物２２は、第１実施形態のような板状の絶縁物ではなく、湾曲して略半円状となって線状光源３ａの下部側半分を取り囲むように線状光源３ａに貼り付けられている点で第１実施形態の絶縁物２１と異なる。
【００４１】
なお、本実施形態においては、湾曲した絶縁物２２は、線状光源３ａと接する面全体が線状光源３ａに貼り付けられるように構成されている。ただし、このような構成に限定される趣旨ではなく、本発明の目的を逸脱しない範囲で種々の変更が可能である。すなわち、例えば湾曲した絶縁物２２の最下部のみを線状光源３ａと貼り付けて、その他の部分は貼り付けられないようにし、線状光源３ａの一部を取り囲むような構成等として構わない。また、本実施形態では絶縁物２２は湾曲することによって半円形状となっているが、必ずしも半円形状である必要はない。
【００４２】
本実施形態のように液晶モジュール６０を形成した場合、第１実施形態の場合と同様に、線状光源３ａの浮遊容量の基づく漏れ電流を低減できる。このために、液晶モジュール６０における輝度ムラを低減できる。そして、反射機能を有する絶縁物２２が湾曲して線状光源３ａの一部を取り囲むようになっているために、絶縁物２２による反射光率が第１実施形態の場合の絶縁物２１に比べて増大する。すなわち、本実施形態の液晶モジュール６０は、線状光源３ａから出射される光の利用効率を第１実施形態の液晶モジュール５０に比べて増大できる。また、第１実施形態と同様に、湾曲した絶縁物２２を反射シート２と同一の材料で形成する場合でも、単に反射シート２の厚みを増大して漏れ電流を低減する場合に比べて、反射シートの使用量を少なくして所望の漏れ電流の低減を図ることが可能であり、漏れ電流の対策におけるコストアップをできる限り抑制できる。
【００４３】
（第３実施形態）
次に、第３実施形態の液晶モジュールについて、図４を参照しながら説明する。図４は、第３実施形態の液晶モジュール７０の構成を示す概略断面図である。なお、第３実施形態の液晶モジュール７０を説明するにあたっては、第１及び第２実施形態の液晶モジュール５０、６０と重複する部分については、同一の符号を付し、特に必要がない限り、その説明を省略する。
【００４４】
第３実施形態の液晶モジュール７０においては、第１及び第２実施形態の場合と同様に、線状光源３ａが液晶パネル６を照らすための光を出射する部分において生じる漏れ電流を低減するために、線状光源３ａとリアフレーム１との間に、反射シート２とは別に絶縁物を配置する点では共通する。しかし、第３実施形態においては、第１及び第２実施形態のように、反射シート２とは別に設けられる絶縁物が線状光源３ａに貼り付けられていない。
【００４５】
第３実施形態の液晶モジュール７０においては、反射シート２とは別に設けられる絶縁物２３は、反射シート２とリアフレーム１との間に配置されている。そして、絶縁物２３は、リアフレーム１の底面１ａ全体を覆うように配置されている。この絶縁物２３は、反射シート２とリアフレーム１との間に配置されるために、線状光源３ａから出射される光を反射する機能を有する必要はなく、例えば、反射シート２に比べて安い材料で構成することができ、例えば、ゴム等の安い材料とすることができる。
【００４６】
なお、本実施形態では、リアフレーム１の底面１ａ全体を覆う構成であるが、これに限定される趣旨ではなく、場合によってはリアフレーム１の底面１ａの一部のみを絶縁物２３で覆う構成としても構わない。
【００４７】
本実施形態のように構成した場合においても、反射シート２とリアフレーム１との間に配置される絶縁物２３によって、線状光源３ａとリアフレーム１との間に配置される絶縁物の厚みを増大させる構成のために、第１及び第２実施形態の場合と同様に、線状光源３ａの浮遊容量の基づく漏れ電流を低減することが可能である。このために、液晶モジュール７０における輝度ムラを低減できる。また、線状光源３ａとリアフレーム１との間に配置される絶縁物を、安価な材料を用いて達成できるために、反射シート２の厚みを増して漏れ電流の低減を図る場合に比べて、低コストで漏れ電流の低減を実現できる。
【００４８】
（その他）
本実施形態においては、浮遊容量に基づく漏れ電流が生じる線状光源として冷陰極蛍光ランプ（ＣＣＦＬ）の場合を挙げて説明したが、同様の漏れ電流を生じる線状光源を備える液晶モジュールに対して、本発明は広く適用可能である。
【産業上の利用可能性】
【００４９】
本発明の液晶モジュールを用いれば、冷陰極蛍光ランプ（ＣＣＦＬ）等の線状光源において発生する浮遊容量に基づく漏れ電流を、コストアップを抑制して低減することができる。このために、本発明は液晶モジュールに関する技術として有用である。
【図面の簡単な説明】
【００５０】
【図１】は、第１実施形態の液晶モジュールの一部を示す概略平面図である。
【図２】は、図１のＡ−Ａ位置における概略断面図である。
【図３】は、第２実施形態の液晶モジュールの構成を説明するための説明図である。
【図４】は、第３実施形態の液晶モジュールの構成を示す概略断面図である。
【図５】は、従来の液晶モジュールの構成を示す分解斜視図である。
【図６】は、従来の液晶モジュールにおける問題点を説明するための模式図である。
【符号の説明】
【００５１】
１                リアフレーム（金属フレーム）
２                反射シート
３ａ              線状光源
６                液晶パネル
２１、２２、２３  絶縁物
５０、６０、７０  液晶モジュール
【図１】
2008292624.tif 000003
【図２】
2008292624.tif 000004
【図３】
2008292624.tif 000005
【図４】
2008292624.tif 000006
【図５】
2008292624.tif 000007
【図６】
2008292624.tif 000008